(57)【要約】【課題】カメラのバッテリー残量を表示用と撮影用にあらかじめ分けておき、ユーザが必要とする撮影可能枚数もしくは表示時間を確保できるカメラのバッテリー残量管理装置を提供すること。【解決手段】少なくとも表示用及び撮影用の電力を供給するバッテリー１と、該バッテリー１のバッテリー残量を測定するバッテリーチェッカー２と、ユーザが設定した情報を入力する設定部５と、１回の撮影に必要な撮影用平均消費電力及び単位時間当たりの表示用消費電力をデータとして少なくとも記憶しているメモリ４とを備えたカメラにおいて、該バッテリーチェッカー２で計測された該バッテリー１のバッテリー残量を所定枚数の撮影用電力と所定時間の表示用電力から撮影用と表示用にあらかじめ振り分けるバッテリー残量分配手段１０と、該バッテリー残量分配手段１０で分配された表示用バッテリー残量と撮影用バッテリー残量が互いに共用できない制御を行う制御手段１１とを有することを特徴とするカメラのバッテリー残量管理装置。【選択図】　　　　図１
2004038029.tif 000002
【特許請求の範囲】
【請求項１】
少なくとも表示用及び撮影用の電力を供給するバッテリーと、該バッテリーのバッテリー残量を測定するバッテリーチェッカーと、ユーザが設定した情報を入力する設定部と、１回の撮影に必要な撮影用平均消費電力及び単位時間当たりの表示用消費電力をデータとして少なくとも記憶しているメモリとを備えたカメラにおいて、
該バッテリーチェッカーで計測された該バッテリーのバッテリー残量を所定枚数の撮影用電力と所定時間の表示用電力から撮影用と表示用にあらかじめ振り分けるバッテリー残量分配手段と、
該バッテリー残量分配手段で分配された表示用バッテリー残量と撮影用バッテリー残量が互いに共用できない制御を行う制御手段とを有することを特徴とするカメラのバッテリー残量管理装置。
【請求項２】
少なくとも表示用及び撮影用の電力を供給するバッテリーと、該バッテリーのバッテリー残量を測定するバッテリーチェッカーと、ユーザが設定した情報を入力する設定部と、１回の撮影に必要な撮影用平均消費電力及び単位時間当たりの表示用消費電力をデータとして少なくとも記憶しているメモリとを備えたカメラにおいて、
該バッテリーチェッカーで計測された該バッテリーのバッテリー残量をあらかじめ表示用と撮影用に振り分けるバッテリー残量分配手段と、
前記設定部で撮影枚数を設定するか否かの判断を行う判断手段を備え、撮影枚数を設定すると判断する場合には、前記メモリに記憶されている１回の撮影に必要な平均消費電力と撮影枚数の積から撮影用消費電力を算出し、該算出された電力を撮影用消費最大電力として確保できるように前記バッテリー残量分配手段による分配を制御する制御手段を有することを特徴とするカメラのバッテリー残量管理装置。
【請求項３】
少なくとも表示用及び撮影用の電力を供給するバッテリーと、該バッテリーのバッテリー残量を測定するバッテリーチェッカーと、ユーザが設定した情報を入力する設定部と、１回の撮影に必要な平均消費電力及び単位時間当たりの表示用の消費電力をデータとして少なくとも記憶しているメモリとを備えたカメラにおいて、
該バッテリーチェッカーで計測された該バッテリーのバッテリー残量をあらかじめ表示用と撮影用に振り分けるバッテリー残量分配手段と、
前記設定部で撮影枚数を設定するか否かの判断を行う判断手段を備え、撮影枚数を設定しないと判断する場合には、画像表示時間の設定を行い、前記メモリに記憶されている単位時間当たりの表示用の消費電力と表示時間の積から表示用消費電力を算出し、該算出された電力を表示用消費最大電力として確保できるように前記バッテリー残量分配手段による分配を制御する制御手段を有することを特徴とするカメラのバッテリー残量管理装置。
【発明の詳細な説明】
【０００１】
【発明の属する技術分野】
本発明は、カメラのバッテリー残量管理装置に関し、詳しくはカメラのバッテリー残量を表示用と撮影用にあらかじめ分けておき、ユーザが必要とする撮影可能枚数、もしくは表示時間を確保することができるカメラのバッテリー残量管理装置に関する。
【０００２】
【従来の技術】
従来、バッテリー残量から撮影可能枚数を表示するカメラは知られている。
【０００３】
しかし、画像表示用液晶表示付きのカメラの場合、ユーザが画像表示用液晶表示を使用すると、液晶で電力を消費してしまい、いざ撮影を行う際に撮影できないことが起こる問題がある。
【０００４】
【発明が解決しようとする課題】
そこで、本発明は、カメラのバッテリー残量を表示用と撮影用にあらかじめ分けておき、ユーザが必要とする撮影可能枚数もしくは表示時間を確保できるカメラのバッテリー残量管理装置を提供することを課題とする。
【０００５】
【課題を解決するための手段】
上記課題は、以下の各発明によって解決できる。
【０００６】
（請求項１）少なくとも表示用及び撮影用の電力を供給するバッテリーと、該バッテリーのバッテリー残量を測定するバッテリーチェッカーと、ユーザが設定した情報を入力する設定部と、１回の撮影に必要な撮影用平均消費電力及び単位時間当たりの表示用消費電力をデータとして少なくとも記憶しているメモリとを備えたカメラにおいて、
該バッテリーチェッカーで計測された該バッテリーのバッテリー残量を所定枚数の撮影用電力と所定時間の表示用電力から撮影用と表示用にあらかじめ振り分けるバッテリー残量分配手段と、
該バッテリー残量分配手段で分配された表示用バッテリー残量と撮影用バッテリー残量が互いに共用できない制御を行う制御手段とを有することを特徴とするカメラのバッテリー残量管理装置。
【０００７】
（請求項２）少なくとも表示用及び撮影用の電力を供給するバッテリーと、該バッテリーのバッテリー残量を測定するバッテリーチェッカーと、ユーザが設定した情報を入力する設定部と、１回の撮影に必要な撮影用平均消費電力及び単位時間当たりの表示用消費電力をデータとして少なくとも記憶しているメモリとを備えたカメラにおいて、
該バッテリーチェッカーで計測された該バッテリーのバッテリー残量をあらかじめ表示用と撮影用に振り分けるバッテリー残量分配手段と、
前記設定部で撮影枚数を設定するか否かの判断を行う判断手段を備え、撮影枚数を設定すると判断する場合には、前記メモリに記憶されている１回の撮影に必要な平均消費電力と撮影枚数の積から撮影用消費電力を算出し、該算出された電力を撮影用消費最大電力として確保できるように前記バッテリー残量分配手段による分配を制御する制御手段を有することを特徴とするカメラのバッテリー残量管理装置。
【０００８】
（請求項３）少なくとも表示用及び撮影用の電力を供給するバッテリーと、該バッテリーのバッテリー残量を測定するバッテリーチェッカーと、ユーザが設定した情報を入力する設定部と、１回の撮影に必要な平均消費電力及び単位時間当たりの表示用の消費電力をデータとして少なくとも記憶しているメモリとを備えたカメラにおいて、
該バッテリーチェッカーで計測された該バッテリーのバッテリー残量をあらかじめ表示用と撮影用に振り分けるバッテリー残量分配手段と、
前記設定部で撮影枚数を設定するか否かの判断を行う判断手段を備え、撮影枚数を設定しないと判断する場合には、画像表示時間の設定を行い、前記メモリに記憶されている単位時間当たりの表示用の消費電力と表示時間の積から表示用消費電力を算出し、該算出された電力を表示用消費最大電力として確保できるように前記バッテリー残量分配手段による分配を制御する制御手段を有することを特徴とするカメラのバッテリー残量管理装置。
【０００９】
【発明の実施の形態】
以下、本発明の実施の形態を説明する。
【００１０】
図１は本発明のカメラのバッテリー残量管理装置の一例を示すブロック図である。
【００１１】
図１において、１はバッテリーであり、カメラに対し撮影用電力と表示用電力を供給する。
【００１２】
２はバッテリー１のバッテリー残量を測定するバッテリーチェッカーである。
【００１３】
３はＣＰＵであり、バッテリー残量を撮影用消費電力と表示用消費電力とを確保できるように、バッテリー残量分配手段１０による分配を制御する制御手段１１を有している。
【００１４】
４はメモリであり、１回の撮影に必要な平均消費電力や待機時の消費電力、表示の消費電力がデータとして記憶されている。撮影モードによる消費電力もデータとして記憶されている。撮影モードの消費電力は、撮影モード毎に消費電力をデータとして記憶している。
【００１５】
５はユーザが設定した情報を入力する設定部である。設定した情報とは、撮影したい枚数、画像表示したい時間、撮影モード等である。
【００１６】
６はステータス表示部であり、現在の撮影モードや撮影可能枚数、表示可能時間等のカメラのステータスを表示する機能を果たす。
【００１７】
７はフラッシュ撮影を可能にするフラッシュ部、８は望遠やピント等の撮影条件を合わせる撮影部であり、９は撮影用の撮影対象を表示する画像表示部である。
【００１８】
本発明の好ましい第１の態様は、バッテリー残量分配手段１０でバッテリーチェッカー３で計測された該バッテリー１のバッテリー残量を所定枚数の撮影用電力と所定時間の表示用電力から撮影用と表示用にあらかじめ振り分け、制御手段１１において、該バッテリー残量分配手段１０で分配された表示用バッテリー残量と撮影用バッテリー残量が互いに共用できないように制御を行う。
【００１９】
バッテリー残量分配手段１０でバッテリー１のバッテリー残量を撮影用と表示用にあらかじめ振り分けるには、１つのバッテリー１のバッテリー残量を撮影用と表示用にあらかじめ振り分けるようにしてもよいし、また２つのバッテリーを撮影用と表示用にあらかじめ用途分配してもよい。１つのバッテリー１のバッテリー残量を撮影用と表示用にあらかじめ振り分けるには、コンデンサー等を用いることができる。
【００２０】
制御手段１１において、分配された表示用バッテリー残量と撮影用バッテリー残量を互いに共用できないようにするには、回路的な制御等が挙げられる。
【００２１】
本発明では、このように分配された表示用バッテリー残量と撮影用バッテリー残量を互いに共用できないようにすることによって、ユーザが必要とする撮影可能枚数もしくは表示時間を確保できる。
【００２２】
本発明の第２の好ましい態様について、図２及び図３に基づいて説明する。
【００２３】
バッテリー残量分配手段１０でバッテリー１のバッテリー残量をあらかじめ表示用と撮影用に振り分けた後、図２の処理を行う。
【００２４】
最初にバッテリーチェッカーでバッテリーチェックを行う（Ｓ１）。次いで演算処理１を行う（Ｓ２）。演算処理１はバッテリー残量分配手段でバッテリーのバッテリー残量を撮影用と表示用にあらかじめ振り分ける処理を行う。
【００２５】
次いで、ステータス表示部６に最大撮影可能枚数、最大画像表示時間を表示する（Ｓ３）。
【００２６】
次いで、前記設定部５で撮影枚数を設定するか否かの判断を行う（Ｓ４）。撮影枚数を設定すると判断した場合には枚数が設定され（Ｓ５）、演算処理２を行う（Ｓ６）。
【００２７】
演算処理２は、メモリに記憶されている１回の撮影に必要な平均消費電力と撮影枚数の積から撮影用消費電力を算出する。
【００２８】
例えば、１回の撮影に必要な平均消費電力をａミリワット／回とし、撮影枚数を２０枚とすると、撮影用消費電力はａ×２０となる。
【００２９】
そして算出された電力を撮影用消費最大電力として確保できるように前記バッテリー残量分配手段による分配を制御する。かかる制御はＣＰＵにおいて行われる。
【００３０】
次いで、撮影可能枚数（フラッシュの回数）をステータス表示部に表示する（Ｓ８）。次いで画像表示時間の表示を行う（Ｓ９）。
【００３１】
本発明の第３の好ましい態様について、図２及び図４に基づいて説明する。
【００３２】
図２、４に示すように、設定部で撮影枚数を設定するか否かの判断を行った（Ｓ４）後、撮影枚数を設定しないと判断した場合には、画像表示時間の設定を行う（Ｓ７）。
【００３３】
次いで演算処理２を行う（Ｓ８）。演算処理２では、メモリに記憶されている単位時間当たりの表示用の消費電力と表示時間の積から表示用消費電力を算出する。
【００３４】
例えば、単位時間当たりの表示用の消費電力をｂミリワット／秒とし、表示時間を２秒とすると、表示用消費電力はｂ×２となる。
【００３５】
そして、算出された電力を表示用消費最大電力として確保できるように前記バッテリー残量分配手段による分配を制御する。かかる制御はＣＰＵにおいて行われる。
【００３６】
【発明の効果】
以上、本発明によれば、液晶表示時間と撮影可能枚数を設定・変更が可能であるため、ユーザは自らの使用状況に合わせたセッティングができる。また、必要な電力が確保されるため、撮影したい時や、撮影した画像を表示したい時に、バッテリー切れがなくなり、ユーザは安心して撮影もしくは画像を表示できる。
【図面の簡単な説明】
【図１】本発明のカメラのバッテリー残量管理装置の一例を示すブロック図
【図２】本発明の好ましい処理フローを示す図
【図３】本発明の好ましい態様を説明する説明図
【図４】本発明の他の好ましい態様を説明する図
【符号の説明】
１：バッテリー
２：バッテリーチェッカー
３：ＣＰＵ
４：メモリ
５：設定部
６：ステータス表示部
７：フラッシュ部
８：撮影部
９：画像表示部
１０：バッテリー残量分配手段
１１：制御手段
【図１】
2004038029.tif 000003
【図２】
2004038029.tif 000004
【図３】
2004038029.tif 000005
【図４】
2004038029.tif 000006